(57)【要約】【課題】  プリンタの記憶部に保存されているジョブの印刷を指示する際に、保存時にセットしていた用紙と異なる場合に、用紙の種類や用紙のサイズが合っていないために印刷ができず、警告やエラーが発生する。【解決手段】  プリンタの用紙の交換がされた際に、プリンタの記憶部に保存されているジョブが交換された用紙で印刷可能か否かを判定する。印刷不可と判定した場合に、ネットワーク上に印刷情報を通知する。前記印刷情報を取得したプリンタは、印刷可能、かつ保存可能か否かを判定する。印刷可能、かつ保存可能と判定した場合は、印刷可能である旨を印刷情報の発信元へ通知し、送信元は前記印刷可能である旨を通知してきたプリンタにデータを送信する。【選択図】  図２
2009113413.tif 000002
【特許請求の範囲】
【請求項１】
ネットワーク接続されたジョブを保存するための記憶部を備えるプリンタにおいて、設置されている用紙を交換した際に、記憶部に保存されているジョブの用紙の種類、用紙のサイズを検知する機能を備えたことを特徴とするプリンタ。
【請求項２】
交換した用紙の種類と用紙のサイズに対して、記憶部に保存されているジョブの用紙の種類、用紙のサイズが異なり、交換した用紙では印刷不可と判断することを可能とすることを特徴とする請求項１に記載のプリンタ。
【請求項３】
前記印刷不可と判断した場合に、ネットワーク上に対して、印刷のタイプ、用紙の種類、用紙のサイズ、ジョブのサイズを通知する機能を備えたことを特徴とする請求項１に記載のプリンタ。
【請求項４】
上記ネットワークに通知した情報を取得して、記憶部の空き容量のチェックを行うことを可能とすることを特徴とする請求項１に記載のプリンタ。
【請求項５】
上記記憶部の空き容量が通知されたジョブのサイズよりあった場合に、通知された用紙の種類、用紙のサイズ情報と設置している用紙の種類、用紙のサイズのチェックを行うことを可能とすることを特徴とする請求項１に記載のプリンタ。
【請求項６】
チェックを行った結果、印刷可能と判断した場合に、保存可能である旨を発信元へ通知可能とすることを特徴とする請求項１に記載のプリンタ。
【請求項７】
上記保存可能である旨の通知を受けた場合に、該当のジョブデータを保存可能である旨を通知したプリンタに送信することを可能とすることを特徴とする請求項１に記載のプリンタ。
【請求項８】
上記ジョブデータの受信が完了した場合に、あらかじめ設定してある宛先に対して、ジョブデータの移動が行われた旨を通知可能とすることを特徴とする請求項１に記載のプリンタ。
【発明の詳細な説明】
【技術分野】
【０００１】
本発明は、プリンタの記憶部に保存されているジョブの印刷を指示する際に、用紙の種類や用紙のサイズが合っていないために印刷ができない現象を軽減させることを目的としたネットワーク接続されたプリンタに関する。
【背景技術】
【０００２】
従来は、ユーザーが保存中のジョブに対して印字指示した時点で初めて印刷対象として認識されるため、その時点にならないと印刷設定や装置設定が合わないことが検出されない。そして、ユーザーに対する警告やエラーもその時点でなければ出来ないため、ユーザーはジョブの印刷設定に合うように記録紙交換等を行わなければならない。上記の警告やエラーの発生を軽減させるために、例えば、コンピュータ本体によって生成される印刷ジョブを連続して受信して、受信した印刷ジョブを解析して印刷に必要な用紙サイズを知る。そして、印刷装置から到来する指定用紙セットの有無情報に従い、その印刷ジョブを記憶装置に保存するか、もしくは続いて到来する印刷ジョブを優先して印刷する構成のものが開示されている。(特許文献1)
また、外部装置から受信した印刷ジョブがハードディスクのジョブ受信領域にあると、この印刷ジョブからこの印刷ジョブに使用される用紙に関する用紙条件(用紙サイズとその枚数)を取得する。そして、ＲＡＭに保持されている用紙情報が取得した用紙条件を満足するか否かを判定する。その際、ＲＡＭに保存されている用紙情報が取得した用紙条件を満足しない時には、印刷ジョブをエラーの発生が伴う印刷ジョブ、すなわち処理不可能な印刷ジョブと判断し、この印刷ジョブを退避領域に移動させる構成のものが開示されている。(特許文献２)
さらに、大判プリンタにおいては、記録紙交換に手間取るので、ユーザーは記録紙交換するよりは、そのジョブで指定されている記録紙が装填されている他のプリンタで印字した方が早く印刷を完了させることが可能である。
【特許文献１】特開２０００−９９２９２号公報
【特許文献２】特開２００２−２９１２３号公報
【発明の開示】
【発明が解決しようとする課題】
【０００３】
しかしながら、前記の特許文献１、特許文献２のどちらにおいても、印刷が指示された後での警告やエラー処理に関する記載であり、実際に警告やエラーの発生を軽減させることはできていない。
【課題を解決するための手段】
【０００４】
本発明では、前記の問題を解決するために、
請求項１によれば、本発明のプリンタは、設置されている用紙を交換した際に、記憶部に保存されているジョブの用紙の種類、用紙のサイズを検知可能とする。
【０００５】
請求項２によれば、本発明のプリンタは、交換した用紙の種類と用紙のサイズに対して、記憶部に保存されているジョブの用紙の種類、用紙のサイズが異なり、交換した用紙では印刷不可と判断することを可能とする。
【０００６】
請求項３によれば、本発明のプリンタは、前記印刷不可と判断した場合に、ネットワーク上に対して、印刷のタイプ、用紙の種類、用紙のサイズ、ジョブのサイズを通知可能とする。
【０００７】
請求項４によれば、本発明のプリンタは、上記ネットワークに通知した情報を取得して、記憶部の空き容量のチェックを行うことを可能とする。
【０００８】
請求項５によれば、本発明のプリンタは、上記記憶部の空き容量が通知されたジョブのサイズよりあった場合に、通知された用紙の種類、用紙のサイズ情報と設置している用紙の種類、用紙のサイズのチェックを行うことを可能とする。
【０００９】
請求項６によれば、本発明のプリンタは、前記チェックを行った結果、印刷可能と判断した場合に、保存可能である旨を発信元へ通知可能とする。
【００１０】
請求項７によれば、本発明のプリンタは、上記保存可能である旨の通知を受けた場合に、該当のジョブデータを保存可能である旨を通知したプリンタに送信することを可能とする。
【００１１】
請求項8によれば、本発明のプリンタは、上記ジョブデータの受信が完了した場合に、あらかじめ設定してある宛先に対して、ジョブデータの移動が行われた旨を通知可能とする。
【発明の効果】
【００１２】
本発明により、記憶部に保存されているジョブの印刷を指示する際に、用紙の種類や用紙のサイズが合っていないために印刷ができないという現象を軽減させることが可能である。
【発明を実施するための最良の形態】
【００１３】
次に、本発明の詳細を実施例の記述に従って説明する。
【００１４】
以下、図面に基づいて発明の実施例について詳細に説明する。
【実施例１】
【００１５】
図1は、本発明の実施例を説明するためのシステム構成図である。１はプリンタ管理者のＰＣである。２、３はジョブを保存するための記憶部、保存されているジョブをコントロールするコントロール部、およびネットワークで他のＰＣやプリンタと通信するための通信制御部を備えたプリンタである。図２は、ユーザーが本発明のプリンタの用紙を交換した際のプリンタ内部の処理フローである。図３は、本発明のプリンタからネットワーク上に通知された印刷のタイプ、用紙の種類、用紙のサイズ、ジョブのサイズの情報を情報通知元以外の本発明のプリンタが受信した場合の処理フローである。
【００１６】
まず、ユーザーが図１のプリンタ１において、用紙を交換した場合におけるプリンタ１の処理を図２を用いて説明する。S２０１において、設置されているメディア情報(用紙の種類、用紙のサイズ)をD２０１から検知する。次にS２０２において、記憶部に保存されている全ジョブの情報をD２０２から取得する。次にS２０３において、保存されているジョブ１つ１つに対して、設置されている用紙の状態で印刷不可能なジョブがあるかを判定する。次にS２０３において、印刷不可能なジョブが１つでもあると判断された場合は、次にS２０４において、ネットワーク上に対して、印刷のタイプ、用紙の種類、用紙のサイズ、ジョブのサイズを通知する。次にS２０３において、印刷不可能なジョブが１つもないと判断された場合は、処理を終了する。次にS２０５において、例えば、ネットワーク上の他のプリンタから保存可能通知があるか否かを判定する。他のプリンタから保存可能通知があった場合(例えば、図１のプリンタ２から通知があった場合)は、次にS２０６において、保存ジョブをプリンタ２に送信する。次にS２０７において、ジョブの転送が完了したか否かを判定する。S２０７において、ジョブの転送が完了したと判断した場合は、S２０８において、あらかじめ設定してある通知者をD２０３から取得して、保存ジョブを転送した旨を通知する。S２０７において、ジョブの転送が完了しなかった場合は、S２０９において、エラー処理を行い、処理を終了する。
【００１７】
次に、図１のプリンタ１からネットワーク上に通知された印刷不可の情報をプリンタ２が受信した際のプリンタ２の処理を図３を用いて説明する。S３０１において設置されているメディア情報(用紙の種類、用紙のサイズ)をD３０１から検知する。次にS３０２において、ネットワーク上より通知された印刷のタイプ、用紙の種類、用紙のサイズ、ジョブのサイズより、印刷可能であるか否か、かつ保存可能であるか否かを判定する。S３０２において、印刷可能であり、かつ保存可能であると判定した場合は、S３０３において、プリンタ１に印刷可能である旨を通知する。S３０２において、印刷可能でなく、もしくは保存可能でないと判定した場合は、処理を終了する。保存可能である旨を通知したプリンタ１がデータを送信して、次にS３０４において、データの受信が完了したかを判定する。S３０４において、転送が完了したと判定した場合は、S３０５において、プリンタ１に受信完了を通知する。S３０４において、転送が完了しなかった判定した場合は、S３０６において、エラー処理を行い、処理を終了する。
【図面の簡単な説明】
【００１８】
【図１】本発明の実施例を説明するためのシステム構成図である。
【図２】ユーザーが本発明のプリンタの用紙を交換した際のプリンタ内部の処理フローである。
【図３】本発明のプリンタからネットワーク上に通知された印刷のタイプ、用紙の種類、用紙のサイズ、ジョブのサイズの情報を情報通知元以外の本発明のプリンタが受信した場合の処理フローである。
【符号の説明】
【００１９】
１  管理者PC
２  本発明の機能を備えたプリンタ１
３  本発名の機能を備えたプリンタ２
【図１】
2009113413.tif 000003
【図２】
2009113413.tif 000004
【図３】
2009113413.tif 000005